(57)【要約】      （修正有）【課題】ボルト頭部やナットを締結した場合にも、フランジ部とボルトやナットから簡単に取り外し可能なボルトナット回止め工具を提供する。【解決手段】配管部材のフランジ部同士を固定するボルトとナットを締結又は締結解除する際にボルト又はナットを回り止めするボルトナット回止め工具１は、ボルト頭部又はナットに外嵌係合可能な六角係合部２ａを有するソケット部２と、このソケット部２からフランジ部の径方向外側へ延びるアーム部３と、このアーム部３からフランジ部の板厚方向に突出するストッパ部４を備え、ストッパ部４は、六角係合部２ａがボルト頭部又はナットに係合した状態でフランジ部の外周面に点接触又は局部接触してソケット部２が回動するのを阻止する回止め壁部を有し、回止め壁部は、アーム部３からフランジ部の厚さ方向に離隔する程フランジ部から離隔する距離が大きくなるテーパ形状に形成されている。【選択図】図１
0003191550.tif 000002
【実用新案登録請求の範囲】
【請求項１】
配管部材のフランジ部同士を固定するボルトとナットを締結又は締結解除する際にボルト又はナットを回り止めするボルトナット回止め工具において、
ボルト頭部又はナットに外嵌係合可能な係合部を有するソケット部と、このソケット部からフランジ部の径方向外側へ延びるアーム部と、このアーム部から前記フランジ部の板厚方向に突出するストッパ部とを備え、
前記ストッパ部は、前記係合部が前記ボルト頭部又はナットに係合した状態で前記フランジ部の外周面に点接触又は局部接触して前記ソケット部が回動するのを阻止する回止め壁部を有し、
前記回止め壁部は、前記アーム部から前記フランジ部の厚さ方向に離隔する程前記フランジ部から離隔する距離が大きくなるテーパ形状に形成されたことを特徴とするボルトナット回止め工具。
【請求項２】
前記ボルトナット回止め工具の落下を防止する為の落下防止機構を備え、
前記落下防止機構は、前記アーム部と前記ストッパ部に回動可能に取り付けられ且つ前記フランジ部の板厚方向に延びるロッド部材と、このロッド部材の先端部分に前記フランジ部同士間の隙間に挿入可能に設けられ且つ前記アーム部と前記ストッパ部に対する位置を調整可能な係止部材とを備えたことを特徴とする請求項１に記載のボルトナット回止め工具。
【請求項３】
前記ソケット部は、前記ボルト頭部又はナットが落下しないように前記係合部を外側から部分的に塞ぐ蓋部を有することを特徴とする請求項１又は２に記載のボルトナット回止め工具。
【考案の詳細な説明】
【技術分野】
【０００１】
本考案は、配管部材のフランジ部同士を固定するボルトとナットを締結又は締結解除する際にボルト又はナットを回止めするボルトナット回止め工具に関する。
【背景技術】
【０００２】
特許文献１には、部材と部材とを締結するボルトとナットを締結又は締結解除する際にボルト又はナットを回止めするボルト／ナットの供回り防止工具が開示されている。
この供回り防止工具は、ボルト頭部を嵌合させる六角穴を備えたソケット部と、このソケット部から延びるアーム部と、六角穴の反開口側を塞ぐ係止部材と、アーム部に埋設した永久磁石とを備えている。使用時、この供回り防止工具のソケット部をボルト頭部に嵌合させ、アーム部を隣接するボルト頭部又はナットに係止させることで、ボルト／ナットの供回りを防止する。
【０００３】
特許文献２には、フランジ同士を締結するボルトとナットを締結又は締結解除する際にボルト又はナットを回止めするボルトナット回止器が開示されている。
このボルトナット回止器は、レンチ口と、このレンチ口から延びるアーム部材と、アーム部の先端に固定された鍬形のストッパ部と、このストッパ部の一端部に係合された凹形状部とを備えている。
【０００４】
ボルトナットの締結を解除する際には、レンチ口をボルト頭部又はナットに嵌合させ、ストッパ部の凹形状部をフランジを係合させた状態で回り止めして締結解除する。ボルトナットを締結する際には、ストッパ部の他端部を２枚のフランジの縁部に当接させた状態で回り止めして締結する。
【先行技術文献】
【特許文献】
【０００５】
【特許文献１】特開２００９−３４７３３号公報
【特許文献２】特開２０１１−２５３３６号公報
【考案の概要】
【考案が解決しようとする課題】
【０００６】
特許文献１の供回り防止工具では、ボルト頭部又はナットの締結時に、アーム部が隣接するボルト頭部又はナットに大きな押圧力で摩擦係合した状態になるため、供回り防止工具を外すのに手間がかかること、隣接するボルト頭部やナットがなくなった状態では使用できないこと等の問題がある。
【０００７】
特許文献２のボルトナット回止器においては、ボルト頭部又はナットの締結時に、ストッパ部の他端部がフランジの縁部に大きな押圧力で摩擦係合した状態になるため、ボルトナット回止器を外すのに手間がかかるという問題がある。
本考案の目的は、ボルト頭部やナットを締結した場合にも、フランジ部とボルトやナットから簡単に取り外し可能なボルトナット回止め工具を提供することである。
【課題を解決するための手段】
【０００８】
請求項１のボルトナット回止め工具は、配管部材のフランジ部同士を固定するボルトとナットを締結又は締結解除する際にボルト又はナットを回り止めするボルトナット回止め工具において、ボルト頭部又はナットに外嵌係合可能な係合部を有するソケット部と、このソケット部からフランジ部の径方向外側へ延びるアーム部と、このアーム部から前記フランジ部の板厚方向に突出するストッパ部とを備え、前記ストッパ部は、前記係合部が前記ボルト頭部又はナットに係合した状態で前記フランジ部の外周面に点接触又は局部接触して前記ソケット部が回動するのを阻止する回止め壁部を有し、前記回止め壁部は、前記アーム部から前記フランジ部の厚さ方向に離隔する程前記フランジ部から離隔する距離が大きくなるテーパ形状に形成されたことを特徴としている。
【０００９】
請求項２のボルトナット回止め工具は、請求項１の考案において、前記ボルトナット回止め工具の落下を防止する為の落下防止機構を備え、前記落下防止機構は、前記アーム部と前記ストッパ部に回動可能に取り付けられ且つ前記フランジ部の板厚方向に延びるロッド部材と、このロッド部材の先端部分に前記フランジ部同士間の隙間に挿入可能に設けられ且つ前記アーム部と前記ストッパ部に対する位置を調整可能な係止部材とを備えたことを特徴としている。
【００１０】
請求項３のボルトナット回止め工具は、請求項１又は２の考案において、前記ソケット部は、前記ボルト頭部又はナットが落下しないように前記係合部を外側から部分的に塞ぐ蓋部を有することを特徴としている。
【考案の効果】
【００１１】
請求項１の考案によれば、係合部を有するソケット部と、このソケット部から延びるアーム部と、このアーム部から突出するストッパ部とを備え、前記ストッパ部は、係合部がボルト頭部又はナットに係合した状態でフランジ部の外周面に点接触又は局部接触してソケット部が回動するのを阻止する回止め壁部を有し、回止め壁部は、アーム部からフランジ部の厚さ方向に離隔する程フランジ部から離隔する距離が大きくなるテーパ形状に形成されているため、ボルト頭部又はナットを締結又は締結解除する際に、ソケット部の係合部をボルト頭部又はナットに係合させ、ストッパ部をフランジ部の周面に当接させることで、ソケット部を回り止めすることができる。
【００１２】
特に、ボルト頭部やナットを締結する際にも、ストッパ部のテーパ形状の回止め壁部がフランジ部の外周面に点接触又は局部接触して回動を阻止するため、回止め壁部が大きな押圧力でフランジ部の周面に摩擦係合したとしても、その摩擦係合を簡単に解除してボルトナット回止め工具を簡単に取り外すことができる。
【００１３】
請求項２の考案によれば、ボルトナット回止め工具の落下を防止する為の落下防止機構を設け、この落下防止機構がアーム部とストッパ部に回動可能に取り付けられたロッド部材と、このロッド部材の先端部分に設けられフランジ部同士間の隙間に挿入可能な係止部材であってアーム部とストッパ部に対する位置を調整可能な係止部材とを備えているため、ボルトナット回止め工具を使用する場合に、係止部材をフランジ部同士間の隙間に挿入した状態にしておけば、ボルト頭部又はナットを締結解除したときに、ボルトナット回止め工具が落下することがない。
【００１４】
請求項３の考案によれば、前記ソケット部は、前記ボルト頭部又はナットが落下しないように前記係合部を外側から部分的に塞ぐ蓋部を有するため、ボルト頭部又はナットを締結解除したときに、ボルトやナットが蓋部で支持されるため、ボルトやナットが落下することがない。
【図面の簡単な説明】
【００１５】
【図１】本考案の実施例１に係るボルトナット回止め工具の斜視図である。
【図２】配管部材とフランジ部とボルトナット回止め工具の平面図である。
【図３】配管部材とフランジ部とボルトナット回止め工具の側面図である。
【図４】図２の要部拡大図である。
【図５】図４のＶ−Ｖ線断面図である。
【図６】変更例に係る図５相当図である。
【図７】実施例２のボルトナット回止め工具の斜視図である。
【図８】図７のボルトナット回止め工具の場合の図５相当図である。
【考案を実施するための形態】
【００１６】
本考案を実施するための形態について実施例に基づいて説明する。
【実施例１】
【００１７】
実施例１のボルトナット回止め工具について、図１〜図５に基づいて説明する。
ボルトナット回止め工具１は、配管部材Ｐのフランジ部Ｆ同士を固定するボルトＢとナットＮを締結又は締結解除する際にボルトＢ又はナットＮを回り止めするものである。
【００１８】
このボルトナット回止め工具１は、例えばＪＩＳ規格の種々のサイズのボルト・ナットに適用可能な種々のサイズのものが製作される。但し、ＪＩＳ規格以外の規格の種々のサイズのボルト・ナットに適用可能な種々のサイズのものも必要に応じて製作される。
尚、以下の説明では、上記の種々のサイズのうちの所定サイズのボルト・ナットに適用可能なボルトナット回止め工具１について説明する。
【００１９】
ボルトナット回止め工具１は、例えば工具用鋼又は鋳鋼又はステンレス鋼製のもので、このボルトナット回止め工具１は、ソケット部２と、このアーム部３と、ストッパ部４と、落下防止機構５等で構成されている。前記ソケット部２は、ナットＮやボルト頭部Ｂｈの厚さと同程度の厚さを有し、ボルト頭部Ｂｈ又はナットＮに外嵌係合可能な六角係合部２ａを有する。ソケット部２の外周面のうちアーム部３と反対側部分は部分円筒面２ｂに形成されている。
【００２０】
前記アーム部３は、ソケット部２と同厚に形成され、ソケット部２から、ボルトＢの直径とほぼ同じ長さだけフランジ部Ｆの径方向外側へ延び、このアーム部３の１対の側面のなす角度は約４０〜４５°程度であり、アーム部３の外周面のうちソケット部２と反対側部分は部分円筒面３ａに形成され、この部分円筒面３ａの直径は、前記部分円筒面２ｂの直径の例えば約１／４〜１／３である。アーム部３の長さは、図示のものに限定される訳ではなく、図示のものよりも短く形成してもよく、長く形成してもよい。
【００２１】
ストッパ部４は、アーム部３からフランジ部Ｆの板厚方向に且つフランジ部Ｆの外周外側に突出するように形成されている。ストッパ部４は、図１や図５に示すように下方程小径化する円錐台形状に形状されている。ストッパ部４の厚さは、アーム部３の厚さの例えば約１／３〜２／３程度であるが、この厚さに限定されるものではなく、ストッパ部４のアーム部３の表面からの突出高さは３，４ｍｍでもよい。
【００２２】
前記ストッパ部４は、六角係合部２ａがボルト頭部Ｂｈ又はナットＮに係合した状態でフランジ部Ｆの外周面に点接触又は局部接触してソケット部２が回動するのを阻止する回止め壁部４ａを有する。尚、「局部接触」とは、点接触よりも幾分広い程度の僅少の面積で接触する接触形態を意味するものである。この回止め壁部４ａは、アーム部３からフランジ部Ｆの厚さ方向に離隔する程フランジ部Ｆの外周面から離隔する距離が大きくなるテーパ形状（部分円錐面）に形成されている。
【００２３】
前記落下防止機構５は、ボルトナット回止め工具１の落下を防止する為のものである。
この落下防止機構５は、アーム部３とストッパ部４に回動可能に取り付けられ且つフランジ部Ｆの板厚方向に延びるロッド部材６と、このロッド部材６の先端部分にフランジ部Ｆ同士間の隙間に挿入可能に設けられ且つアーム部３とストッパ部４に対する位置を調整可能な係止部材７とを備えている。
【００２４】
前記ロッド部材６の上半部はロッド部６ａに形成され、ロッド部材６の下半部はネジ軸６ｂに形成され、ロッド部材６の上端部分には幾分大径のロッド頭部６ｃが形成されている。ストッパ部４にはロッド部材６を挿通させる鉛直の挿通孔８が形成され、アーム部３には挿通孔８と同心状で挿通孔８よりも大径のバネ収容孔９が形成されている。
【００２５】
ロッド部材６のロッド部６ａは、挿通孔８とバネ収容孔９に挿入され、バネ収容孔９内でロッド部６ａにはコイルスプリング１０が外装され、このコイルスプリング１０の圧縮を介してロッド部材６の上下方向位置を調整可能に構成されている。
【００２６】
係止部材７は扇形の板部材で構成され、ロッド部材６の下端部分を係止部材７の穴に挿通させ、ネジ軸６ｂに螺合させた１対のナット１１で係止部材７を上下から挟持することで係止部材７が高さ方向位置を調整可能に固定されている。係止部材７はロッド部材６に対して直交状態に固定されている。
【００２７】
次に、ボルトナット回止め工具１の作用、効果について説明する。
図２〜図５に示すように、配管部材Ｐのフランジ部Ｆ同士を複数のボルトＢとナットＮで締結する場合、ボルト頭部Ｂｈにソケット部２を係合させると共に、ストッパ部４をフランジ部Ｆの外周外側に突出させる。この締結時にはボルトナット回止め工具１の落下のおそれがないため、係止部材７はどの方向に向いていてももよい。
【００２８】
次に、フランジ部Ｆの下面側のナットＮを締結していくと、ボルトナット回止め工具１のストッパ部４の回り止め壁部４ａが、図４、図５に示すように、フランジ部Ｆの外周面に点接触又は局部接触する状態になり、ボルトナット回止め工具１がボルト頭部Ｂｈを回り止めする状態になるため、ナットＮの締結作業を能率的に行うことができる。
【００２９】
この締結状態では、ストッパ部４の回り止め壁部４ａが大きな押圧力でフランジ部Ｆの外周面に押圧されて摩擦ロック状態になっているが、回り止め壁部４ａはフランジ部Ｆの外周面の上端部に点接触又は局部接触しているため、上記の摩擦ロック状態を簡単に解消して、ボルトナット回止め工具１を取り外すことができる。
【００３０】
ボルトＢやナットＮの締結を解除する場合であって、締結解除中や解除後にボルトナット回止め工具１が落下するおそれがある場合には、図２〜図５に示すように、落下防止機構５のロッド部材６と係止部材７の高さ位置を調整して係止部材７をフランジ部Ｆ同士間の隙間に係合させてから締結解除を行うため、ボルトナット回止め工具１が落下することがない。
【００３１】
次に、前記実施例１のボルトナット回止め工具１を部分的に変更する例について説明する。図６に示すように、前記ソケット部２に、ボルト頭部Ｂｈ又はナットＮが落下しないように六角係合部２ａを外側から部分的に塞ぐ蓋部１２であって、ボルトＢが通過可能な円形の開口穴１２ａを有する蓋部１２を設ける。
【００３２】
この蓋部１２はソケット部２と一体的に形成してもよいし、座金と同様の部材を複数の溶接部で溶接したり、複数のビスでビス止めしたりすることで構成してもよい。
このように蓋部１２を設けると、締結解除後のボルトＢやナットＮがソケット部２から脱落するのを確実に防止することができる。
【実施例２】
【００３３】
次に、実施例２に係るボルトナット回止め工具１Ａについて説明する。
図７、図８に示すように、このボルトナット回止め工具１Ａは、前記落下防止機構５を変更したものであり、それ以外の構成は実施例１のボルトナット回止め工具１と同様であるので、同様の構成要素に同様の符号を付して説明を省略し、異なる構成についてのみ説明する。
【００３４】
このボルトナット回止め工具１Ａの落下防止機構５Ａは、ロッド部材６Ａの上端部分にネジ軸６ｃが形成され、 それ以外の部分にはロッド部６ｄが形成され、アーム部３とストッパ部４には挿通孔８Ａが形成され、ロッド部材６Ａは挿通孔８Ａに挿通されてネジ軸６ｃがアーム部３の上端面上へ突出し、このネジ軸６ｃにナット１３を螺合させることで、ロッド部材６Ａがアーム部３とストッパ部４に対して上下方向の位置を調整可能に取り付けられている。ロッド部材６Ａの下端部には、係止部材７がカシメや溶接等により固定されている。
【００３５】
このボルトナット回止め工具１Ａの作用、効果については、実施例１とほぼ同様であるが、落下防止機構５Ａの構成が簡単化したため、製作費の面で有利である。
尚、このボルトナット回止め工具１Ａにおいても、図６に示すような蓋部（図示略）をソケット部２に設けてもよい。
【００３６】
次に、前記実施例１，２を部分的に変更する例について説明する。
１）ストッパ部４を部分円錐台形状に形状したが、ストッパ部４は部分円錐台形状である必要はない。ストッパ部４は、フランジ部Ｆの外周面に点接触又は局部接触するような回止め壁部４ａを有する任意の形状の小さな突起状のものでもよい。
２）六角係合部２ａに代えて、通常のレンチのように１２の角部を有する係合部も採用することができる。
３）その他、当業者ならば、本考案の趣旨を逸脱しない範囲で種々の変更を付加した形態で実施可能であることは勿論である。
【産業上の利用可能性】
【００３７】
本考案は、配管部材のフランジ部同士を固定するボルトとナットを締結又は締結解除する際にボルト又はナットを回り止めするボルトナット回止め工具を提供する
【符号の説明】
【００３８】
Ｐ      配管部材
Ｆ      フランジ部
Ｂ      ボルト
Ｂｈ    ボルト頭部
Ｎ      ナット
１，１Ａ      ボルトナット回止め工具
２      ソケット部
２ａ    六角係合部
３      アーム部
４      ストッパ部
４ａ    回止め壁部
５，５Ａ    落下防止機構
６，６Ａ    ロッド部材
７      係止部材
１２    蓋部
【図１】
0003191550.tif 000003
【図２】
0003191550.tif 000004
【図３】
0003191550.tif 000005
【図４】
0003191550.tif 000006
【図５】
0003191550.tif 000007
【図６】
0003191550.tif 000008
【図７】
0003191550.tif 000009
【図８】
0003191550.tif 000010